(57)【特許請求の範囲】
【請求項１】
無線メッシュネットワークにおいてメッシュアクセスポイントがステーション情報を伝達する方法において、
（ａ）ステーションの脱退を感知した場合に、前記メッシュアクセスポイントが、前記ステーションが脱退したことを示す脱退メッセージを生成する段階と、
（ｂ）プロアクティブルーティングプロトコルを通じて形成されたツリー構造においてルートノードとして指定されたメッシュポータルが前記ツリー構造を維持するために周期的にブロードキャストするメッセージに、前記脱退メッセージを挿入することを前記メッシュポータルに要請する段階とを含む、方法。
【請求項２】
前記（ｂ）の段階において、前記脱退メッセージを前記ツリー構造上の経路を通じて前記メッシュポータルにユニキャストする、請求項１に記載の方法。
【請求項３】
（ｃ）ステーションの加入を感知した場合に、加入した該ステーションが前記メッシュアクセスポイントに属することになったことを示す加入メッセージを生成する段階と、
（ｄ）前記メッシュポータルが前記ツリー構造を維持するために周期的にブロードキャストするメッセージに前記加入メッセージを挿入することを、前記メッシュポータルに要請する段階と
をさらに含む請求項１に記載の方法。
【請求項４】
前記（ｄ）の段階において、前記加入メッセージを前記ツリー構造上の経路を通じて前記メッシュポータルにユニキャストする、請求項３に記載の方法。
【請求項５】
前記無線メッシュネットワークにおいて、ＡＯＤＶルーティングプロトコルを含むＨＷＭＰが使用されている、請求項１に記載の方法。
【請求項６】
請求項１ないし５のいずれか一項に記載の方法をコンピュータに実行させるプログラムを記録したコンピュータで読取り可能な記録媒体。
【請求項７】
無線メッシュネットワークのメッシュアクセスポイント装置において、
ステーションの脱退を感知した場合に、当該メッシュアクセスポイントが、前記ステーションが脱退したことを示す脱退メッセージを生成するメッセージ生成部と、
プロアクティブルーティングプロトコルを通じて形成されたツリー構造においてルートノードとして指定されたメッシュポータルが前記ツリー構造を維持するために周期的にブロードキャストするメッセージに、前記脱退メッセージを挿入することを前記メッシュポータルに要請する要請部と
を備えるメッシュアクセスポイント装置。
【請求項８】
前記要請部は、前記脱退メッセージを前記ツリー構造上の経路を通じて前記メッシュポータルにユニキャストする、請求項７に記載のメッシュアクセスポイント装置。
【請求項９】
前記メッセージ生成部は、ステーションの加入を感知した場合に、加入した該ステーションが当該メッシュアクセスポイントに属することになったことを示す加入メッセージを生成し、
前記要請部は、前記メッシュポータルが前記ツリー構造を維持するために周期的にブロードキャストするメッセージに前記加入メッセージを挿入することを、前記メッシュポータルに要請する、請求項７に記載のメッシュアクセスポイント装置。
【請求項１０】
前記要請部は、前記加入メッセージを前記ツリー構造上の経路を通じて前記メッシュポータルにユニキャストする、請求項９に記載のメッシュアクセスポイント装置。
【請求項１１】
前記無線メッシュネットワークにおいて、ＡＯＤＶルーティングプロトコルを含むＨＷＭＰが使用されている、請求項７に記載のメッシュアクセスポイント装置。
【請求項１２】
プロアクティブルーティングプロトコルによりノードがツリー構造を形成している無線メッシュネットワークにおいてルートノードとして指定されたメッシュポータルがデータを伝達する方法であって、
（ａ）メッシュアクセスポイントから受信したメッセージが、ステーションの脱退または加入を示すメッセージであるか否かを判断する段階と、
（ｂ）前記受信したメッセージがステーションの脱退または加入を示すメッセージであった場合、前記受信したメッセージを、前記ツリー構造を維持するために周期的にブロードキャストするメッセージに挿入する段階と
を含む方法。
【請求項１３】
前記（ｂ）の段階において、所定時間が経過した後に受信したメッセージは、ブロードキャストするメッセージに挿入されない、請求項１２に記載の方法。
【請求項１４】
前記無線メッシュネットワークにおいて、ＡＯＤＶルーティングプロトコルを含むＨＷＭＰが使用されている、請求項１２に記載の方法。
【請求項１５】
請求項１２ないし１４のいずれか一項に記載の方法をコンピュータに実行させるプログラムを記録したコンピュータで読取り可能な記録媒体。
【請求項１６】
プロアクティブルーティングプロトコルによりノードがツリー構造を形成している無線メッシュネットワークにおいてルートノードとして指定されたメッシュポータル装置であって、
メッシュアクセスポイントから受信したメッセージがステーションの脱退または加入を示すメッセージであるか否かを判断する判断部と、
前記受信したメッセージがステーションの脱退または加入を示すメッセージであった場合、前記受信したメッセージを、前記ツリー構造を維持するために周期的にブロードキャストするメッセージに挿入するメッセージ加工部と
を備えるメッシュポータル装置。
【請求項１７】
前記メッセージ加工部は、所定時間が経過した後に受信されたメッセージを、前記ブロードキャストするメッセージに挿入しない、請求項１６に記載のメッシュポータル装置。
【請求項１８】
前記無線メッシュネットワークにおいて、ＡＯＤＶルーティングプロトコルを含むＨＷＭＰが使用されている、請求項１６に記載のメッシュポータル装置。
【発明の詳細な説明】
【技術分野】
【０００１】
本発明は、無線メッシュネットワークに係り、さらに詳細には、ステーション（ｓｔａｔｉｏｎ）のメッシュアクセスポイントに対する加入または脱退がある場合、これについての情報を無線メッシュネットワークの他のノードに伝達する方法に関する。
【背景技術】
【０００２】
最近、ＩＥＥＥ  ８０２．１１ｓ規格と関連して無線ＬＡＮの拡張された形である無線メッシュネットワークに対する標準化が議論されているが、企業の連合団体であるＳＥＥＭｅｓｈは、無線メッシュネットワークで使用するルーティングプロトコルとしてＨＷＭＰ（Ｈｙｂｒｉｄ  Ｗｉｒｅｌｅｓｓ  Ｍｅｓｈ  Ｐｒｏｔｏｃｏｌ）を提案している。
【０００３】
ＨＷＭＰは、プロアクティブ（ｐｒｏａｃｔｉｖｅ）ルーティングプロトコルとリアクティブ（ｒｅａｃｔｉｖｅ）ルーティングプロトコルとを共に使用するハイブリッドプロトコルであって、リアクティブルーティングプロトコルによれば、ノードがネットワークのルーティングテーブルを常に維持するものではなく、ソースノードがデータ伝送の必要な時になって初めて目的地ノードまでのルーティング経路を探索し、プロアクティブルーティングプロトコルによれば、常にルーティングテーブルを維持するようになるが、ＨＷＭＰでは、リアクティブルーティングプロトコルとしてＡＯＤＶ（Ａｄｈｏｃ  Ｏｎ−Ｄｅｍａｎｄ  Ｄｉｓｔａｎｃｅ  Ｖｅｃｔｏｒ）ルーティングプロトコルを使用する。
【０００４】
図１は、無線メッシュネットワークでＡＯＤＶルーティングプロトコルを用いて経路を探索する過程を説明するための図である。
【０００５】
ノードＡがノードＤにデータを伝送するための経路を探索しようとすれば、まずノードＡは、ＲＲＥＱ（Ｒｏｕｔｅ  Ｒｅｑｕｉｒｅｍｅｎｔ）パケットに、ソースアドレスフィールドには自身のアドレスを、目的地アドレスフィールドにはノードＤのアドレスを記入してブロードキャスト（ｂｒｏａｄｃａｓｔ）する。ＲＲＥＱパケットを受信したノードＢがＲＲＥＱパケットを通じてノードＡがノードＤへの経路を探索しているということを認知すれば、ＲＲＥＱパケットのホップカウント（ｈｏｐ  ｃｏｕｎｔ）フィールドを参照して自身がノードＡから１ホップ距離にあることをルーティングテーブルに登録した後、ＲＲＥＱパケットを再びブロードキャストする。
【０００６】
ノードＢからＲＲＥＱパケットを受信したノードＣは、同様にノードＡへの経路のためのｎｅｘｔ  ｈｏｐがノードＢであることを自身のルーティングテーブルに登録し、ＲＲＥＱパケットをブロードキャストする。
【０００７】
ノードＣからＲＲＥＱパケットを受信したノードＤは、ＲＲＥＱパケットの目的地アドレスを見て自身に伝送されたパケットであることを認知すれば、目的地をノードＡとするＲＲＥＰ（Ｒｏｕｔｅ  Ｒｅｓｐｏｎｓｅ）パケットを生成してノードＣにユニキャストで伝送し、ノードＣを自身のアドレスについてのプレカーサ  リスト（ｐｒｅｃｕｒｓｏｒ  ｌｉｓｔ）に登録する。
【０００８】
ＲＲＥＰパケットを受信したノードＣは、ルーティングテーブルを通じてノードＡへの経路のためのネキスト  ホップがノードＢであることを捜し出して、ＲＲＥＰパケットをノードＢにユニキャストで伝送し、ノードＢをノードＤについてのプレカーサ  リストに登録する。同様に、ノードＢは、受信されたＲＲＥＰパケットをノードＡに伝達し、ノードＡをノードＤについてのプレカーサ  リストに登録することによって、ついにノードＡとノードＤとの間の経路が探索される。
【０００９】
プレカーサ  リストは、ノード間のリンクが切れたとき、またはこれ以上の経路を探索できないときなどに使われる。例えば、ノードＣとノードＤとの間の連結が断絶されたことをノードＣが認知すれば、ノードＣは、このような事実を、ノードＤを目的地ノードとして通信しているノードに知らせることとなるが、これは、ノードＣが自身のルーティングテーブルでノードＤに対してプレカーサ  リストに登録されたノードにＲＥＲＲ（Ｒｏｕｔｅ  Ｅｒｒｏｒ）パケットを伝送することにより行われる。前述したように、ノードＣのルーティングテーブルでノードＤについてのプレカーサ  リストには、ノードＢが登録されているので、ノードＣは、これを参照してノードＢにＲＥＲＲパケットを伝送し、これを受信したノードＢもノードＤについてのプレカーサ  リストに登録されたノードＡにＲＥＲＲパケットを伝送して、つまり、ノードＤを目的地ノードとするノードは、いずれもＲＥＲＲパケットを受信してノードＤとの経路が断絶されたことを認知するようになる。
【００１０】
図２は、ステーションの移動がある場合、これについての情報を伝達する従来の方法を説明するための図である。ノードＡないしノードＩは、いずれも８０２．１１のアクセスポイント機能とアドホックルーティング機能を含むノードであるメッシュアクセスポイントであると仮定する。
【００１１】
メッシュアクセスポイントＪのサービス領域にあったステーション１がメッシュアクセスポイントＪのサービス領域を抜け出てメッシュアクセスポイントＧの領域に進入した場合、ステーション１が自身のサービス領域から抜け出たことを認知したメッシュアクセスポイントＪは、前述したようにステーション１についてのプレカーサ  リストに登録されたノードにＲＥＲＲを伝送する。例えば、ノードＡとノードＣとがステーション１と通信を行っていたとすれば、既存の経路上でノードＡとノードＪとの間に存在するノード及びノードＣとノードＪとの間に存在するノードは、いずれもＲＥＲＲを受信する。
【００１２】
このように、ステーションのハンドオフが発生する度にＲＥＲＲパケットが伝送されねばならないが、無線メッシュネットワークでステーションの動きが多い場合には、頻繁なハンドオフが発生し、特にネットワーク内に存在するステーションの数が多い場合には、ハンドオフまたはリンク断絶によるＲＥＲＲパケットの使用量がさらに多くなって、ネットワークオーバヘッドが発生する問題が生じる。
【００１３】
また、既存のＨＷＭＰ規格によれば、ステーション１がメッシュアクセスポイントＧのサービス領域に新たに加入したことを、ルートノードを初めとする他のメッシュアクセスポイントが分かる方法が明確に提示されていない。
【特許文献１】米国特許第５，４９５，４７９号明細書
【特許文献２】米国特許第５，９６３，５４６号明細書
【発明の開示】
【発明が解決しようとする課題】
【００１４】
本発明は、無線メッシュネットワークでネットワークの負荷を減らし、ステーションの加入（ａｓｓｏｃｉａｔｉｏｎ）または脱退（ｄｉｓａｓｓｏｃｉａｔｉｏｎ）を他のノードに知らせる装置及び方法を提供するところにその目的がある。
【課題を解決するための手段】
【００１５】
このような目的を達成するために本発明は、無線メッシュネットワークにおいてメッシュアクセスポイントがステーション情報を伝達する方法であって、（ａ）前記メッシュアクセスポイントに所属されたステーションの脱退（ｄｉｓａｓｓｏｃｉａｔｉｏｎ）が感知されれば、前記ステーションが脱退したことを示す脱退メッセージを生成する段階と、（ｂ）プロアクティブルーティングプロトコルを通じて形成されたツリー（ｔｒｅｅ）構造でのルート（ｒｏｏｔ）ノードと指定されたメッシュポータルに前記メッシュポータルが前記ツリー構造を維持するために、周期的にブロードキャストするメッセージに前記脱退メッセージを挿入するように要請する段階と、を含む。
【００１６】
ここで、前記（ｂ）段階は、前記脱退メッセージを前記ツリー構造上の経路を通じて前記メッシュポータルにユニキャスト（ｕｎｉｃａｓｔ）することが望ましい。
【００１７】
また、本発明は、前記ステーション情報伝達方法をコンピュータで実行させるためのプログラムを記録したコンピュータで読取り可能な記録媒体を提供する。
【００１８】
また、本発明は無線メッシュネットワークのメッシュアクセスポイント装置であって、前記メッシュアクセスポイントに所属されたステーションの脱退が感知されれば、前記ステーションが脱退したことを示す脱退メッセージを生成するメッセージ生成部と、プロアクティブルーティングプロトコルを通じて形成されたツリー構造でのルートノードと指定された所定メッシュポータルに前記メッシュポータルが前記ツリー構造を維持するために周期的にブロードキャストするメッセージに前記脱退メッセージを挿入するように要請する要請部と、を備える。
【００１９】
前記メッセージ生成部は、任意のステーションの加入が感知されれば、前記加入したステーションが前記アクセスポイントに属することとなったことを示す加入メッセージを生成し、前記要請部は前記メッシュポータルに前記メッシュポータルが前記ツリー構造を維持するために周期的にブロードキャストするメッセージに前記加入メッセージを挿入するように要請する。
【００２０】
また、本発明はプロアクティブルーティングプロトコルを通じてノードがツリー構造を形成する無線メッシュネットワークでルートノードと指定されたメッシュポータルがデータを伝達する方法であって、（ａ）所定メッシュアクセスポイントから受信されたメッセージが所定ステーションの脱退または加入に関するメッセージであるか否かを判断する段階と、（ｂ）前記判断結果に基づいて前記受信されたメッセージを前記ツリー構造を維持するために周期的にブロードキャストするメッセージに選択的に挿入する段階と、を含む。
【００２１】
ここで、前記（ｂ）段階は、所定時間が経過すれば、これ以上前記受信されたメッセージの挿入を行わないことが望ましい。
【００２２】
また、本発明は、前記メッシュポータルのデータ伝達方法をコンピュータで実行させるためのプログラムを記録したコンピュータで読取り可能な記録媒体を提供する。
【００２３】
また、本発明はプロアクティブルーティングプロトコルを通じてノードがツリー構造を形成する無線メッシュネットワークでルートノードと指定されたメッシュポータル装置であって、所定メッシュアクセスポイントから受信されたメッセージが所定ステーションの脱退または加入に関するメッセージであるか否かを判断する判断部と、前記判断部の判断結果に基づいて前記受信されたメッセージを前記ツリー構造を維持するために周期的にブロードキャストするメッセージに選択的に挿入するメッセージ加工部とを備える。
【発明の効果】
【００２４】
本発明によれば、無線メッシュネットワークでステーションが既存のメッシュアクセスポイント領域から離脱した場合、他のノードにこれを知らせる過程で、ネットワークの負荷を従来の技術に比べて大幅に減らしうる。また、本発明は、無線メッシュネットワークでステーションが新たなメッシュアクセスポイント領域に新たに進入した場合、他のノードにこれを知らせるメカニズムを提供する。
【発明を実施するための最良の形態】
【００２５】
以下、添付された図面を参照して、本発明の望ましい実施形態を詳細に説明する。
【００２６】
図３は、本発明の一実施形態によってメッシュアクセスポイントがステーション情報を伝達する過程を示すフローチャートである。
【００２７】
図３に示されたように、メッシュアクセスポイントがステーションの加入または脱退を感知すれば（３１０）、本発明の一実施形態によるメッシュアクセスポイントは、該当ステーションのアドレス及び自身のアドレスを用いて該当ステーションの加入または脱退を示すメッセージを生成し（３２０）、プロアクティブプロトコルにより形成されたツリー上の経路を通じてルートノードにメッセージを伝送して該当メッセージを無線メッシュネットワークにブロードキャストすることを要請する（３３０）。本発明は、このような過程により、ステーションの脱退が発生した場合ＲＲＥＱパケットを使用せず、これを該当ステーションと通信していたあらゆるノードに知らせ、ステーションの加入が発生した場合にも、これをルートノードを初めとする他のノードに知らせうる。
【００２８】
ここで、ツリー構造及びルートノードについて説明すれば、前述したようにＨＷＭＰではリアクティブルーティングプロトコルであるＡＯＤＶプロトコル以外にも、プロアクティブルーティングプロトコルを使用するが、このプロアクティブルーティングプロトコルにより無線メッシュネットワークに属したノード（ステーション除外）は、特定メッシュポータル（Ｍｅｓｈ  Ｐｏｒｔａｌ）をルートノードとするツリー構造を形成し、またツリー構造に対するルーティングテーブルを維持する。ＨＷＭＰを使用する無線メッシュネットワークのノードは、ＡＯＤＶプロトコルにより設定された経路が存在しないか、または経時的にルーティング情報が削除された場合、このルーティングテーブルを用いてパケットをツリー上の経路を通じてルートノードに伝送し、ルートノードは、受信したパケットを目的地ノードアドレスによって該当ノードにルーティングすることとなる。もし、ルートノードが存在していない場合には、ＡＯＤＶプロトコルのみで動作する。
【００２９】
メッシュポータルは、有線で外部ネットワークと連結されて無線メッシュネットワークを外部ネットワークと連結するノードであるが、これについての詳細な説明は無線メッシュネットワークと関連した多様な公開文献に記載されているので、ここでは省略する。
【００３０】
図４は、本発明の一実施形態によってメッシュポータルがステーション情報を伝達する過程を示すフローチャートである。ここで、メッシュポータルは、プロアクティブプロトコルにより形成されたツリー構造でルートノードと指定されたノードを言う。
【００３１】
他のノードからメッセージを受信すれば（４１０）、受信したメッセージを分析してメッセージの種類が、ステーションがメッシュアクセスポイントから脱退したか、または新たなメッシュアクセスポイントに加入したことを知らせるメッセージであるか否かを判断する（４２０、４３０）。もし、受信されたメッセージがステーションの加入または脱退を知らせるメッセージであると判断されれば、そのメッセージを無線メッシュネットワークにブロードキャストすることによって（４４０）、該当ステーションが既存のサービス領域から脱退したか、または新たなメッシュアクセスポイントのサービス領域に加入したことを無線メッシュネットワークに属したノードに知らせ、受信されたメッセージがステーションの加入または脱退を知らせるメッセージではない場合、例えば、他のノードに伝達せねばならないメッセージの場合には、目的地ノードにメッセージを伝達するなど適切な動作を行い、メッセージを処理する（４５０）。
【００３２】
図５は、本発明の一実施形態によって無線メッシュネットワークでステーションの移動がある場合の情報の流れを説明するための図である。ここで、ノードＡないしノードＩは、いずれもメッシュアクセスポイントであると仮定する。
【００３３】
図５に示されたように、ＨＷＭＰを使用する無線メッシュネットワークは、リアクティブルーティングプロトコルであるＡＯＤＶだけでなく、プロアクティブルーティングプロトコルを使用するが、プロアクティブルーティングプロトコルを用いてツリー構造を有するルーティング経路を維持することは、前述したようである。図５では、ＡＯＤＶプロトコルを通じて設定された経路は実線で、プロアクティブルーティングプロトコルを利用して設定された経路は点線で表示した。
【００３４】
もし、メッシュアクセスポイントＪのサービス領域に属したステーション１が移動してメッシュアクセスポイントＧのサービス領域に進入すれば、これを認知したＪは、ステーション１が自身のサービス領域で脱退したことを示す脱退メッセージを生成してルートノードに伝送する。この際、脱退メッセージは、ツリー構造上の経路、すなわち、Ｆ、Ａを経てルートノードに伝送されるようにユニキャストすることが望ましい。
【００３５】
このような脱退メッセージは、図６に示したようにメッセージの種類が脱退メッセージであることを示すフィールド及び脱退したステーション１のアドレスを示すフィールドを含む。
【００３６】
一方、メッシュアクセスポイントＧは、ステーション１が自身のサービス領域に新たに加入したことを示す加入メッセージを生成してルートノードに伝送する。この際、加入メッセージも脱退メッセージの場合と同様にツリー構造上の経路、すなわち、Ｄを経てルートノードに伝送されるようにユニキャストすることが望ましい。
【００３７】
このような加入メッセージも、図７に示したようにメッセージの種類が加入メッセージであることを示すフィールド及び加入したステーション１のアドレスを示すフィールドを含む。
【００３８】
Ｊが伝送した脱退メッセージ及びＧが伝送した加入メッセージを受信したルートノードは、これらをネットワーク内にブロードキャストするが、本発明の目的のうち１つが、ネットワークの負荷を減らすことであるために、既存に周期的にブロードキャストするＲＡ（ルート  アナウンスメント）メッセージに、これら脱退メッセージ及び加入メッセージを挿入して共に伝送する。ＲＡメッセージは、ＨＷＭＰを使用する無線メッシュネットワークでツリー構造のルートノードと指定されたメッシュポータルがツリー構造を保持するために、周期的にブロードキャストするパケットである。但し、同じ事件、すなわち、特定時点に特定ステーションが特定メッシュアクセスポイントのサービス領域に対して加入または脱退したことを示すメッセージは、所定時間ほどのみ有効にＲＡメッセージに挿入されてブロードキャストされることが望ましい。これは、もしそうでなければ、ＲＡメッセージが過去のステーションの加入及び脱退についての情報をいずれも含むようになって、経時的にその大きさが大きくなるためである。
【００３９】
図８は、本発明の一実施形態によるＲＡメッセージのフォーマットを示す図である。図８に示されたようにＲＡメッセージには、タイプ、メッシュアクセスポイントのアドレス、ステーションのアドレスが含まれている。すなわち、受信した脱退メッセージまたは加入メッセージを既存のＲＡメッセージに挿入したものであるが、タイプフィールドの値が脱退メッセージに該当する値であれば、同じ行のメッシュアクセスポイントアドレスに該当するメッシュアクセスポイントから同じ行のステーションアドレスに該当するステーションが脱退したことを示し、タイプフィールドの値が加入メッセージに該当する値である場合にも同様である。
【００４０】
このようなメッセージを受信した無線メッシュネットワークのノードは、各フィールドを分析してステーションの移動による脱退及び加入についての変更事項が分かる。
【００４１】
図９は、本発明の一実施形態によるメッシュポータル及びメッシュアクセスポイントの構造を示す図である。ここでのメッシュポータルは、ルートノードを意味する。図９に示されたように、本発明の一実施形態によるメッシュアクセスポイント９１０は、感知部９１１、メッセージ生成部９１２及び要請部９１３を備え、本発明の一実施形態によるメッシュポータル９３０は、メッセージ処理部９３１、判断部９３２及びメッセージ加工部９３３を備える。
【００４２】
まず、メッシュアクセスポイント９１０について説明すれば、感知部９１１は、ステーションの加入または脱退を感知し、メッセージ生成部９１２は、感知部９１１によりステーションの加入または脱退が感知されれば、該当状況によるメッセージを生成して要請部９１３に伝達し、要請部９１３は、伝えられたメッセージをルートノードであるメッシュポータル９３０にツリー経路に沿ってユニキャストで伝送することによって、該当メッセージを無線メッシュネットワーク９２０にブロードキャストするように要請する。
【００４３】
次いで、プロアクティブプロトコルにより形成されたツリー構造でルートノードと指定されたメッシュポータル９３０について説明する。
【００４４】
任意のステーションまたはメッシュアクセスポイントから伝送されたメッセージが受信されれば、判断部９３２は、受信されたメッセージのタイプフィールドを参照してメッセージの種類を判断するが、もし、受信されたメッセージが脱退メッセージまたは加入メッセージである場合、これをメッセージ加工部９３３に伝達する。判断部９３２は、伝達されたメッセージを周期的に無線メッシュネットワークにブロードキャストするＲＡメッセージに挿入し、メッセージ伝送部９３１は、脱退メッセージまたは加入メッセージが挿入されたＲＡメッセージを無線メッシュネットワーク９２０にブロードキャストする。
【００４５】
一方、前述した本発明の実施形態は、コンピュータで実行可能なプログラムで作成可能であり、コンピュータで読取り可能な記録媒体を用いて前記プログラムを動作させる汎用デジタルコンピュータで具現されうる。
【００４６】
前記コンピュータで読取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような記録媒体を含む。
【００４７】
以上、本発明についてその望ましい実施形態を中心に説明した。当業者ならば、本発明が本発明の本質的な特性から外れない範囲で変形された形で具現されうるということを理解できるであろう。したがって、開示された実施形態は、限定的な観点でなく、説明的な観点で考慮せねばならない。本発明の範囲は、前述した説明ではなく、特許請求の範囲に現れており、それと同等な範囲内にあるあらゆる差異点は本発明に含まれたものと解釈されねばならない。
【産業上の利用可能性】
【００４８】
本発明は、無線メッシュネットワークにおいてステーション情報を伝達する方法及び装置関連の技術分野に好適に適用されうる。
【図面の簡単な説明】
【００４９】
【図１】無線メッシュネットワークでＡＯＤＶプロトコルを用いて経路を探索する過程を説明するための図である。
【図２】ステーションの移動がある場合、これについての情報を伝達する従来の方法を説明するための図である。
【図３】本発明の一実施形態によってメッシュアクセスポイントがステーション情報を伝達する過程を示すフローチャートである。
【図４】本発明の一実施形態によってメッシュポータルがステーション情報を伝達する過程を示すフローチャートである。
【図５】本発明の一実施形態によって無線メッシュネットワークでステーションの移動がある場合の情報の流れを説明するための図である。
【図６】本発明の一実施形態による脱退メッセージのフォーマットを示す図である。
【図７】本発明の一実施形態による加入メッセージのフォーマットを示す図である。
【図８】本発明の一実施形態によるＲＡメッセージのフォーマットを示す図である。
【図９】本発明の一実施形態によるメッシュポータル及びメッシュアクセスポイントの構造を示す図である。
【符号の説明】
【００５０】
９１０  メッシュアクセスポイント
９１１  感知部
９１２  メッセージ生成部
９１３  要請部
９３０  メッシュポータル
９３１  メッセージ処理部
９３２  判断部
９３３  メッセージ加工部
【図１】
0004783305.tif 000002
【図２】
0004783305.tif 000003
【図３】
0004783305.tif 000004
【図４】
0004783305.tif 000005
【図５】
0004783305.tif 000006
【図６】
0004783305.tif 000007
【図７】
0004783305.tif 000008
【図８】
0004783305.tif 000009
【図９】
0004783305.tif 000010